(57)【要約】【課題】  多くの映像受信装置に対して、コピー制御付映像コンテンツのサムネイル画像を提供する。【解決手段】  コピー回数に制限のあるコピー制御付映像コンテンツにおいて、コピー１回分であるサムネイル生成用コピー301をＧＯＰ（Ｉフレーム）単位302に分割し、分割ストリームとする。そして、分割ストリームの各ＧＯＰ単位302の全てのフレームをＩフレームに再エンコードすることにより、サムネイル画像群304を生成し、各映像受信装置へＤＴＣＰ−ＩＰムーブを用いてサムネイル画像305のムーブを行うことで、多くの受信装置に対してサムネイル画像を提供することを可能とする。【選択図】図３
2013021430.tif 000002
【特許請求の範囲】
【請求項１】
ネットワークを介して、映像コンテンツのサムネイルを提供するサムネイル画像提供装置であって、
処理部と、前記ネットワークとのインタフェース部を備え、
前記処理部は、
コピー制御付映像コンテンツのコピー回数１回分を使ってコピーした前記映像コンテンツから、複数のサムネイル画像を生成する、
ことを特徴とするサムネイル画像提供装置。
【請求項２】
請求項１に記載のサムネイル画像提供装置であって、
前記処理部は、
前記映像コンテンツをＧＯＰ（Ｇｒｏｕｐ  ｏｆ  Ｐｉｃｔｕｒｅｓ）単位で分割し、分割した前記ＧＯＰ中の各フレームがＩフレームとなるように再圧縮し、
再圧縮した前記ＧＯＰから１フレーム分のＩフレームを取り出し、前記サムネイル画像とする、
ことを特徴とするサムネイル画像提供装置。
【請求項３】
請求項１に記載のサムネイル画像提供装置であって、
前記処理部は、
前記インタフェース部から前記ネットワークに接続される映像受信装置に対し、生成した前記サムネイル画像をＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）ムーブを用いて送信する、
ことを特徴とするサムネイル画像提供装置。
【請求項４】
請求項１に記載のサムネイル画像提供装置であって、
前記インタフェース部は入力部を備え、
前記入力部を介して、前記映像コンテンツのサムネイル画像を提供するか否かを設定可能である、
ことを特徴とするサムネイル画像提供装置。
【請求項５】
請求項１に記載のサムネイル画像提供装置であって、
記憶部を更に備え、
前記記憶部は、
前記コピー制御付映像コンテンツのコピー回数１回分を使ってコピーした前記映像コンテンツを記憶し、
前記処理部は、
前記記憶部に記憶された前記映像コンテンツを用いて、複数の前記サムネイル画像を生成する、
ことを特徴とするサムネイル画像提供装置。
【請求項６】
請求項２に記載のサムネイル画像提供装置であって、
記憶部を更に備え、
前記記憶部は、前記再圧縮したＧＯＰを記憶し、
前記処理部は、
前記記憶部に記憶された前記再圧縮されたＧＯＰを用いて、サムネイル画像を生成する、
ことを特徴とするサムネイル画像提供装置。
【請求項７】
請求項６に記載のサムネイル画像提供装置であって、
前記記憶部は、
前記サムネイル画像の識別子（ＩＤ）、前記ＧＯＰのＧＯＰ番号、前記ＧＯＰ内の前記Ｉフレームの数、及び前記サムネイル画像の提供済数を蓄積するサムネイル情報テーブルを記憶する、
ことを特徴とするサムネイル画像提供装置。
【請求項８】
映像コンテンツのサムネイルを提供する、処理部とネットワークとのインタフェース部を備えた映像送信装置のサムネイル画像提供方法であって、
前記処理部は、
コピー制御付映像コンテンツのコピー回数１回分を使ってコピーした前記映像コンテンツから、複数のサムネイル画像を生成する、
ことを特徴とするサムネイル画像提供方法。
【請求項９】
請求項８に記載のサムネイル画像提供方法であって、
前記処理部は、
前記映像コンテンツをＧＯＰ（Ｇｒｏｕｐ  ｏｆ  Ｐｉｃｔｕｒｅｓ）単位で分割し、分割された前記ＧＯＰ中の各フレームがＩフレームとなるように再圧縮し、
再圧縮した前記ＧＯＰから１フレーム分のＩフレームを取り出すことにより、前記サムネイル画像を生成する、
ことを特徴とするサムネイル画像提供方法。
【請求項１０】
請求項８に記載のサムネイル画像提供方法であって、
前記処理部は、
前記インタフェース部から前記ネットワークに接続される映像受信装置に対し、生成した前記サムネイル画像をＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）ムーブを用いて送信する、
ことを特徴とするサムネイル画像提供方法。
【請求項１１】
ネットワークを介して、映像送信装置が映像コンテンツのサムネイルを映像受信装置に提供するサムネイル画像提供システムであって、
前記映像送信装置は、コピー制御付映像コンテンツのコピー回数１回分を使ってコピーした前記映像コンテンツから、複数のサムネイル画像を生成し、前記ネットワークを介して、生成した前記サムネイル画像を前記映像受信装置に送信する、
ことを特徴とするサムネイル画像提供システム。
【請求項１２】
請求項１１に記載のサムネイル画像提供システムであって、
前記映像送信装置は、
前記映像コンテンツをＧＯＰ（Ｇｒｏｕｐ  ｏｆ  Ｐｉｃｔｕｒｅｓ）単位で分割し、分割された前記ＧＯＰ中の各フレームがＩフレームとなるように再圧縮し、
再圧縮した前記ＧＯＰから１フレーム分のＩフレームを取り出すことにより、前記サムネイル画像を生成する、
ことを特徴とするサムネイル画像提供システム。
【請求項１３】
請求項１１に記載のサムネイル画像提供システムであって、
前記映像送信装置は、
前記映像受信装置に対し、生成した前記サムネイル画像をＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）ムーブを用いて送信する、
ことを特徴とするサムネイル画像提供システム。
【請求項１４】
請求項１２に記載のサムネイル画像提供システムであって、
前記映像送信装置は記憶部を備え、
前記記憶部は、
再圧縮した前記ＧＯＰと、
前記サムネイル画像の識別子（ＩＤ）、前記ＧＯＰのＧＯＰ番号、前記ＧＯＰ内の前記Ｉフレームの数、及び前記サムネイル画像の提供済数を蓄積するサムネイル情報テーブルとを記憶する、
ことを特徴とするサムネイル画像提供システム。
【請求項１５】
請求項１４に記載のサムネイル画像提供システムであって、
前記映像送信装置は、
前記サムネイル画像を前記映像受信装置への提供毎に、前記サムネイル情報テーブルの前記サムネイル画像の提供済数を更新する、
ことを特徴とするサムネイル画像提供システム。
【発明の詳細な説明】
【技術分野】
【０００１】
本発明は、サムネイル画像提供装置に係り、特に、コピー制御付映像コンテンツのサムネイル画像を利用者宅内の機器に対して提供可能とする技術に関する。
【背景技術】
【０００２】
デジタルテレビに代表される組込系ホームネットワーク機器は価格競争が厳しい為、中央処理部（ＣＰＵ）やワークメモリ等のリソースを必要最小限に留める必要がある。
【０００３】
デジタル放送録画コンテンツやＶｏＤ（Ｖｉｄｅｏ  Ｏｎ  Ｄｅｍａｎｄ）コンテンツに代表される、コピー（複製）してはならない、若しくはコピー回数制限のあるコンテンツを機器間で共有する場合、それらの機器はコピー制御を実装しなくてはならない。
【０００４】
ＤＬＮＡ（Ｄｉｇｉｔａｌ  Ｌｉｖｉｎｇ  Ｎｅｔｗｏｒｋ  Ａｌｌｉａｎｃｅ）は、機器間の相互接続を容易にする為に設立された業界団体である。ＤＬＮＡではホームネットワークを介したコンテンツ共有方式の業界標準、ＤＬＮＡガイドラインを作成している。ＤＬＮＡガイドラインではコピー制御が必要なコンテンツの共有にＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）を採用している。
【０００５】
ＤＴＣＰ−ＩＰによるコンテンツの共有方法にはストリーミングとムーブの２種類がある。
ＤＴＣＰ−ＩＰストリーミングは、機器間での公開鍵暗号技術を用いた認証、鍵交換（ＡＫＥ：Ａｕｔｈｅｎｔｉｃａｔｉｏｎ  ａｎｄ  Ｋｅｙ  Ｅｘｃｈａｎｇｅ）を行った後、同一のＴＣＰ（Ｔｒａｎｓｍｉｓｓｉｏｎ  Ｃｏｎｔｒｏｌ  Ｐｒｏｔｏｃｏｌ）セッション内であれば映像コンテンツの受信側機器はストリームを再生して良い。ＴＣＰセッションが切断された場合は、受信側機器は直ちに再生を終了し、ワークメモリ上の映像コンテンツデータを削除しなければならない。
【０００６】
ＤＴＣＰ−ＩＰムーブは、機器間での公開鍵暗号技術を用いた認証、鍵交換を行った後、ストリームの授受を完了し、映像コンテンツの送信側機器でコンテンツの完全削除またはコピー回数の減少が確実に実行されたことの受信側機器への通知（コミットメント）が正常に完了した後に受信側はストリーム再生可能となる。
【０００７】
ＤＬＮＡガイドラインに従って機器間でコンテンツの再生を行う場合、映像コンテンツの送信側機器（ＤＭＳ：Ｄｉｇｉｔａｌ  Ｍｅｄｉａ  Ｓｅｒｖｅｒ）は受信側機器（ＤＭＰ：Ｄｉｇｉｔａｌ  Ｍｅｄｉａ  Ｐｌａｙｅｒ）の要求に従って保持するコンテンツの一覧、コンテンツリストを提供し、受信側機器を操作する利用者は、コンテンツリストに記載のコンテンツ名等の情報を元に視聴するコンテンツを選択、再生する。コンテンツリストにはコンテンツ名の他、再生時間、ジャンル、メディア形式、サムネイル画像等の情報を記載することもできる。利用者はこれらの情報を手がかりに元に所望の映像コンテンツを選択することが可能である。
【０００８】
サムネイルはあらかじめ映像コンテンツ提供者が準備する場合の他に、映像コンテンツ中の1フレーム分の画像情報を切り出して作成する方法が知られている。例えば、録画タイトルを再生することなく、録画タイトルの代表サムネイルを録画タイトル一覧に簡単に設定できるようにした録画再生装置の提供方法が開示されている（特許文献１参照）。
【０００９】
また、例えば、映像音声の記録時に、記録する映像音声ストリームからキーフレームを一時的に記録しておき、後にこの一時記録しておいたキーフレームからメタデータを生成することによって比較的処理能力の低いＣＰＵやシステム構成を用いた映像音声記録再生装置においても、録画動作と並行してメタデータの生成を可能とする方法が開示されている（特許文献２参照）。
【００１０】
また、例えば、映像コンテンツデータを再生することなく、映像コンテンツデータ全体の中のどの時間帯にどの人物がどのような順番で登場するのかをユーザに提示でき且つ各場面に登場する人物の顔画像を簡単な操作に応じて提示できる電子機器を提供する方法が開示されている（特許文献３参照）。
【００１１】
そして、送信側機器は、コンテンツ名、ジャンル等の情報とともにサムネイル情報を提供し、受信側機器にてサムネイルを含めたコンテンツリストを表示することで、ユーザはより直感的に所望のコンテンツを選択することが可能となる。
【先行技術文献】
【特許文献】
【００１２】
【特許文献１】特開２０１０−９３４８８号公報
【特許文献２】特開２０１１−２４０７７号公報
【特許文献３】特開２００９−８８９７８号公報
【発明の概要】
【発明が解決しようとする課題】
【００１３】
上記の従来例に示される方法は、例えばハードディスクレコーダや録画機能付テレビなどの装置内で映像コンテンツからサムネイルを作成する方法である。そのため、装置内で閉じた環境では上記の従来例に示される方法によって映像コンテンツからサムネイルを作成し、例えば録画コンテンツ一覧表示等の画面において利用者にコンテンツ名等の情報とともにサムネイルを提示することが可能である。
【００１４】
しかしながら、ホームネットワークを介して、ＤＬＮＡガイドラインに従って機器間で映像コンテンツを共有する際に、映像コンテンツの一覧を映像コンテンツの受信側機器で表示する場合には、受信側機器は送信側機器から取得した映像コンテンツの一覧であるコンテンツリストを元に表示を行う。このコンテンツリストにはサムネイル情報も指定することが可能であるが、コンテンツリストにおけるサムネイル情報はＵＲＩ（Ｕｎｉｆｏｒｍ  Ｒｅｓｏｕｒｃｅ  Ｉｄｅｎｔｉｆｉｅｒ）の形式で送信側機器から受信側機器に提供される。
【００１５】
コピー制御付の映像コンテンツにおいて、サムネイルを映像コンテンツから１フレーム切り出して作成する場合、映像コンテンツ中のたった１フレームの情報であってもコピー制御の対象となる為、現在市販されている送信側機器（ＤＭＳ）はコピー制御付コンテンツのサムネイルは提供しない実装が一般的である。
【００１６】
上記の従来例に示される方法は、ホームネットワークを介して映像コンテンツを機器間で共有する事については考慮しておらず、従来例の構成ではコピー制御付映像コンテンツのサムネイルをホームネットワークを介して機器間で共有する、言い換えるなら送信側機器が受信側機器にサムネイルを提供することができない。
【００１７】
ここで、もし、映像コンテンツの送信側機器がコピー制御付映像コンテンツのサムネイル情報を提供しようとする場合は、送信側機器はＤＬＮＡガイドラインに沿ったコピー制御の手順、すなわち、ＤＴＣＰ−ＩＰの手順に従ってサムネイル情報を提供する必要がある。
【００１８】
もし、ＤＴＣＰ−ＩＰストリーミングの形式のＵＲＩ表記でサムネイル情報を提供した場合、実際にサムネイル画像を受信側で表示できるのはＤＴＣＰ−ＩＰの該ＴＣＰセッションが接続状態の期間のみである。すなわち、受信側で同時に表示可能なサムネイル画像数は同時に接続可能なＤＴＣＰ−ＩＰセッション数に依存する。
【００１９】
ＤＴＣＰ−ＩＰの仕様上、ある機器が同時に接続可能なＤＴＣＰ−ＩＰセッション数は最大で32である。しかしながら、実際の組込系ホームネットワーク機器においては、最初に述べたような低価格競争が大前提である為、ＣＰＵ、搭載メモリ、記憶媒体の読み書き速度、搭載する暗号処理ハードウェアの制限等により、ＤＴＣＰ−ＩＰの同時接続可能セッション数は1、せいぜい2程度である事が一般的である。そのような場合、1、せいぜい2コンテンツ程度しかサムネイルを表示できないことになる。以上より、ＤＴＣＰ−ＩＰストリーミングでサムネイル情報を送付することは組込系ホームネットワーク機器においては現実的ではない。
【００２０】
一方、ＤＴＣＰ−ＩＰムーブの手順（ＵＲＩ表記）に従ってサムネイル情報を提供すれば受信装置にサムネイルを提供することが可能である。しかしながら、コピー制御付映像コンテンツはそのコピー回数に制限（最大コピー回数）がある。１回のＤＴＣＰ−ＩＰムーブでコピー回数が−1回され、コピー回数が０の状態でムーブを実施すると送信側機器のコンテンツは完全に削除しなければならない。すなわち、サムネイル情報を提供する為に利用可能なコピー回数は、「最大コピー回数−１回」となる（残りの１回分は再生の為に必要な為）。“最大コピー回数”はそれぞれのＤＲＭ（Ｄｉｇｉｔａｌ  Ｒｉｇｈｔｓ  Ｍａｎａｇｅｍｅｎｔ）システムによって制限があり、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）で規定する放送波ストリームでは10回（ダビング10）、デジタルテレビ向けＶｏＤサービスであるａｃＴＶｉｌａ（アクトビラは登録商標）ではコンテンツプロバイダが自由に設定可能である。
【００２１】
すなわち、コピー制御コンテンツのサムネイル情報を提供する為にはＤＴＣＰ−ＩＰムーブを利用する必要があるが、（例えば放送波ストリームの場合は10回しかない）コピー回数を消費してしまう為、利用者宅内に多くの受信側機器がある場合や1つの受信側機器が何度もサムネイルを取得した場合、ユーザが本当にＤＶＤに映像をムーブしたい時にムーブができなくなる等使い勝手が良くない。言い換えるなら、ホームネットワーク内において、サムネイルを表示できる映像コンテンツの受信側機器の台数、または1台の受信側機器がサムネイルを表示できる回数がＤＲＭシステムで規定されたコピー可能回数に依存してしまうという課題がある。
【００２２】
本発明の目的は、ホームネットワークを介して映像コンテンツを共有する際に、コピー制御付映像コンテンツの送信側機器が多くの受信側機器に対してサムネイルを提供することを可能とするサムネイル画像提供装置、方法、及びシステムを提供することにある。
【課題を解決するための手段】
【００２３】
上記の目的を達成するため、本発明においては、ネットワークを介して、映像コンテンツのサムネイルを提供するサムネイル画像提供装置、方法、及びシステムであって、サムネイル画像提供装置が、処理部と、ネットワークとのインタフェース部を備え、処理部は、コピー制御付映像コンテンツのコピー回数１回分を使ってコピーした映像コンテンツから、複数のサムネイル画像を生成するサムネイル画像提供装置、方法、及びシステムを提供する。
【００２４】
また、上記の目的を達成するため、本発明においては、上記の構成に加え、処理部は、映像コンテンツをＧＯＰ単位で分割し、分割されたＧＯＰ中の各フレームがＩフレームとなるように再圧縮し、再圧縮したＧＯＰ（Ｇｒｏｕｐ  ｏｆ  Ｐｉｃｔｕｒｅｓ）から１フレーム分のＩ（Ｉｎｔｒａ−ｃｏｄｅｄ）フレームを取り出すことにより、サムネイル画像を生成するサムネイル画像提供装置、方法、及びシステムを提供する。
【００２５】
更に、上記の目的を達成するため、本発明においては、上記の構成に加え、処理部は、インタフェース部からネットワークに接続される映像受信装置に対し、生成したサムネイル画像をＤＴＣＰ−ＩＰ（Ｄｉｇｉｔａｌ  Ｔｒａｎｓｍｉｓｓｉｏｎ  Ｃｏｎｔｅｎｔ  Ｐｒｏｔｅｃｔｉｏｎ  ｏｖｅｒ  Ｉｎｔｅｒｎｅｔ  Ｐｒｏｔｏｃｏｌ）ムーブを用いて送信するサムネイル画像提供装置、方法、及びシステムを提供する。
【発明の効果】
【００２６】
本発明によれば、コピー回数に制限のあるコピー制御付映像コンテンツにおいて、コピー回数1回のみの消費で、多くの宅内機器にサムネイルを提供することが可能となり、利用者に快適な映像コンテンツ一覧表示機能を提供することが可能となる。
【図面の簡単な説明】
【００２７】
【図１】各実施例が適用されるホームネットワークの基本構成を示す図である。
【図２】第１の実施例に係る、映像送信装置のハードウェア構成の一例を示す図である。
【図３】第１の実施例に係る、サムネイル画像作成手順を説明するための図である。
【図４】第１の実施例に係る、サムネイルの提供を行うかどうかを示すテーブルの一例を示す図である。
【図５】第１の実施例に係る、映像コンテンツのコピー制御情報を管理するテーブルの一例を示す図である。
【図６】第１の実施例に係る、映像コンテンツのサムネイル情報に関するテーブルの一例を示す図である。
【図７】第１の実施例に係る、映像コンテンツのコンテンツリストに関するテーブルの一例を示す図である。
【図８】第１の実施例に係る、コンテンツリストへの情報追加の手順を示すフローチャート図である。
【図９】第１の実施例に係る、依頼コンテンツのサムネイル画像を送付する手順を示すフローチャート図である。
【図１０】第１の実施例に係る、コンテンツの一欄表示の手順を示すシーケンス図である。
【図１１】第１の実施例に係る、サムネイル取得の手順を示すシーケンス図である。
【図１２】第１の実施例に係る、コピー制御付コンテンツのサムネイル生成設定画面例を示す図である。
【図１３】第１の実施例に係る、コピー制御を説明するための図である。
【図１４】第１の実施例に係る、映像受信装置のハードウェア構成の一例を示す図である。
【図１５】第２の実施例に係る、映像送受信装置のハードウェア構成の一例を示す図である。
【発明を実施するための形態】
【００２８】
本発明のサムネイル画像提供装置、方法、及びシステムの実施形態について図面を参照して説明する。
【００２９】
その概要は、コピー制御付映像コンテンツのコピー回数1回分を消費することで、サムネイル画像提供装置の内部でサムネイル生成用の映像コンテンツのコピーし、コピーした映像コンテンツをＧＯＰ（Ｇｒｏｕｐ  ｏｆ  Ｐｉｃｔｕｒｅｓ）単位で分割管理し、ＧＯＰからＩフレームの画像のみを切り出し、該画像をＤＬＮＡガイドラインにおけるサムネイル情報として、ＤＴＣＰ−ＩＰムーブの手順に従って提供することにある。
【００３０】
また、サムネイル画像提供方法、システムは、コピー制御付映像コンテンツのコピー回数1回分を消費することで、装置内部でサムネイル生成用の映像コンテンツのコピーし、コピーした映像コンテンツをＧＯＰ（Ｇｒｏｕｐ  ｏｆ  Ｐｉｃｔｕｒｅｓ）単位で分割管理し、ＧＯＰからＩフレームの画像のみを切り出し、該画像をＤＬＮＡガイドラインにおけるサムネイル情報として、ＤＴＣＰ−ＩＰムーブの手順にしたがってサムネイル画像として提供することにある。
【００３１】
また、サムネイル画像提供装置は、コピー制御付映像コンテンツのコピー回数1回分を消費することで、装置内部でサムネイル生成用の映像コンテンツのコピーし、コピーした映像コンテンツをＧＯＰ（Ｇｒｏｕｐ  ｏｆ  Ｐｉｃｔｕｒｅｓ）単位で分割管理し、ＧＯＰに含まれる全てのフレームをＩフレームとなるように再圧縮し、再圧縮したＧＯＰからＩフレーム１枚分の画像のみを切り出し、該画像をＤＬＮＡガイドラインにおけるサムネイル情報として、ＤＴＣＰ−ＩＰムーブの手順にしたがってサムネイル画像として提供する構成とすることができる。
【００３２】
同様に、上記サムネイル画像提供方法、システムは、コピー制御付映像コンテンツのコピー回数1回分を消費することで、装置内部でサムネイル生成用の映像コンテンツのコピーし、コピーした映像コンテンツをＧＯＰ（Ｇｒｏｕｐ  ｏｆ  Ｐｉｃｔｕｒｅｓ）単位で分割管理し、ＧＯＰに含まれる全てのフレームをＩフレームとなるように再圧縮し、再圧縮したＧＯＰからＩフレーム１枚分の画像のみを切り出し、該画像をＤＬＮＡガイドラインにおけるサムネイル情報として、ＤＴＣＰ−ＩＰムーブの手順にしたがってサムネイル画像として提供する構成とすることができる。
【実施例１】
【００３３】
図１は本実施例におけるサムネイル画像提供システムにおけるネットワーク構成の一例を示す図である。
同図において、符号101は映像送信装置、符号102は映像受信装置である。映像送信装置101と映像受信装置102は、利用者宅内の有線または無線からなるホームネットワーク103と接続しており、所定の手順に従って情報のやり取りを行うことができる。
【００３４】
図２は、本実施例におけるサムネイル画像提供装置としての映像送信装置101のハードウェア構成の一例を示す図である。
この図において、符号201はＥＰＲＯＭ、符号202はＣＰＵ、符号203はメインメモリ、符号204はＨＤＤ（ハードディスクドライブ）、符号205は認証・暗号処理部、符号206はコンテンツ情報管理部、符号207はネットワークＩ／Ｆ、符号208は放送受信部、符号209は入力部、符号210は映像音声出力部、符号211はサムネイル生成・管理部、符号212はバス、符号213は放送受信アンテナ、符号214モニタ装置である。これらの内、ＥＰＲＯＭ201、メインメモリ203、ＨＤＤ204を総称して記憶部と呼ぶことがある。ＣＰＵ202、認証・暗号処理部205、コンテンツ情報管理部206、サムネイル生成・管理部211を総称して処理部と呼ぶことがある。また、ネットワークＩ／Ｆ207、放送受信部208、入力部209、映像音声出力部210を総称してインタフェース部と呼ぶことがある。入力部209は、入力ボタン自身、リモートコントローラとの送受信部、マウスとの接続端子等であっても良い。また、出力装置としてのモニタ装置214は、外付けのディスプレイ装置であっても良い。
【００３５】
以上のＥＰＲＯＭ201、ＣＰＵ202、メインメモリ203、ＨＤＤ204、認証・暗号処理部205、コンテンツ情報管理部206、ネットワークＩ／Ｆ207、放送受信部208、入力部209、映像音声出力部210、サムネイル生成・管理部211は、バス212を介して接続され、所定の手続きに従って情報のやり取りを行うことができる。
【００３６】
ＥＰＲＯＭ201にはブートプログラムが格納されている。また、ＨＤＤ204には映像送信装置として機能するための各種プログラムが記憶されている。映像送信装置101が起動するとＥＰＲＯＭ201に格納されたブートプログラムによってＨＤＤ204から各種プログラムがメインメモリ203へと読み出される。ＣＰＵ202はメインメモリ203に読み出された、映像送信装置としての各種プログラムを実行することにより、入力部209からの入力の受付、放送受信部208が受信した放送波の制御、映像音声出力部210を介したモニタ装置214への出力、ネットワークＩ／Ｆ207への信号の送受信制御等を行う。
【００３７】
ネットワークＩ／Ｆ207はホームネットワーク103と接続しており、ホームネットワーク103に接続する映像受信機器との間で情報のやり取りを行うことができる。ネットワークＩ／Ｆ20７はネットワークカード等により実現することができる。
【００３８】
ＨＤＤ204には、上述のようにＣＰＵ202 がメインメモリ203に読み出して実行するための各種プログラムが記憶されている。また、放送受信部208で受信した放送番組の録画をしたり、後述する各種テーブルの保存先としても利用される。
【００３９】
認証・暗号処理部205は、ＤＴＣＰ−ＩＰ等の認証・鍵交換・暗号化・復号化といった処理を担当する。コンテンツ情報管理部206は、ＨＤＤ204に記録した映像コンテンツのＩＤと結びつけたメタデータの管理、コピー制御処理などを行う。サムネイル生成・管理部211は映像コンテンツからＧＯＰ（Ｇｒｏｕｐ  ｏｆ  Ｐｉｃｔｕｒｅｓ）の一部を切り出してサムネイルを作成したり、映像コンテンツごとのサムネイル提供有無の管理や、サムネイル情報の管理を行う。
【００４０】
なお、図２に示す映像送信装置の構成のうち、必要のないものは省略してもよい。例えば、映像送信装置101が、映像音声出力を行わないＮＡＳ（Ｎｅｔｗｏｒｋ  Ａｃｃｅｓｓ  Ｓｔｏｒａｇｅ）のような製品の場合においては、映像音声出力部210が必要ない場合がある。
【００４１】
また、図２において、処理部を構成する認証・暗号処理部205、コンテンツ情報管理部206、サムネイル生成・管理部211は、専用ハードウェアの形で実装されるように図示しているが、装置の要求に応じてソフトウェアで実装しても良い。その場合、認証・暗号処理部205、コンテンツ情報管理部206、サムネイル生成・管理部211に相当する機能を実装したプログラムを、ＨＤＤ204等に格納しておき、処理部であるＣＰＵ202が該プログラムをメインメモリ203に読み出して実行することにより、専用ハードウェアを用いる場合と同等の機能を実現できる。
【００４２】
次に、図１４に本実施例における映像受信装置102のハードウェア構成の一例を示した。同図において、符号1401はＥＰＲＯＭ、符号1402はＣＰＵ、符号1403はメインメモリ、符号1404は認証・暗号処理部、符号1405はネットワークＩ／Ｆ、符号1406は入力部、符号1407は映像音声出力部、符号1408はバス、符号1409モニタ装置である。これらの構成要素は、図２で説明した映像送信装置101中の各構成要素と同様な機能を備えているが、処理部としての各構成要素は、映像受信装置としての機能を実現するために用いられることは言うまでもない。
【００４３】
ＥＰＲＯＭ1401、ＣＰＵ1402、メインメモリ1403、認証・暗号処理部1404、ネットワークＩ／Ｆ1405、入力部1406、映像音声出力部1407、バス1408を介して接続され、所定の手続きに従って情報のやり取りを行うことができる。
【００４４】
ＥＰＲＯＭ1401にはブートプログラムおよび各種プログラムが格納されている。映像受信装置102が起動するとＥＰＲＯＭ1401に格納された映像受信装置102としてのブートプログラムによって各種プログラムがメインメモリ1403へと読み出される。ＣＰＵ1402はメインメモリ1403に読み出された各種プログラムを実行することにより、入力部1406からの入力の受付、映像音声出力部1407を介したモニタ装置1409への出力、ネットワークＩ／Ｆ1405への信号の送受信等を行う。
【００４５】
ネットワークＩ／Ｆ1405はホームネットワーク103と接続しており、ホームネットワーク103に接続する機器との間で情報のやり取りを行うことができる。ネットワークＩ／Ｆ1405はネットワークカード等により実現することができる。認証・暗号処理部1404は、ＤＴＣＰ−ＩＰ等の認証・鍵交換・暗号化・復号化といった処理を担当する。
【００４６】
図１４において、認証・暗号処理部1404はハードウェアの形で実装されるように記載しているが、装置の要求に応じてソフトウェアで実装しても良いことは、映像送信装置の場合と同様であり、その場合、認証・暗号処理部1404に相当する機能を実装したプログラムをＥＰＲＯＭ1401等に格納し、ＣＰＵ1402が該プログラムをメインメモリ1403に読み出して実行する。
【００４７】
次に、本実施例のサムネイル画像提供装置において、映像送信装置101が扱うテーブル情報について説明する。これらテーブル情報は、図２の映像送信装置101中のメインメモリ203やＨＤＤ204等の記憶部に記憶される。
【００４８】
図４はサムネイル提供情報テーブル400を示す図である。サムネイル提供情報テーブル400にはＩＤ401、サムネイル提供有無402といった項目がある。テーブル上の複数のＩＤ401に対応して、有無情報403〜409が記憶される。
【００４９】
図５はコピー制御管理テーブル500を示す図である。コピー制御管理テーブル500にはＩＤ501、コピー制御種類502、コピー回数503といった項目があり、複数のＩＤ501に対応して情報504〜510が記憶される。
【００５０】
図６はサムネイル情報テーブル600を示す図である。サムネイル情報テーブル600にはＩＤ601、ＧＯＰ番号602、ＧＯＰ内全Iフレーム数603、ＧＯＰ内サムネイル提供済みIフレーム数604といった項目があり、ＩＤ601に対応して複数の情報が記憶される。
【００５１】
図７はコンテンツリストテーブル700を示す図である。コンテンツリスト700にはＩＤ701、コンテンツ名702、ジャンル703、コピー制御704、コンテンツＵＲＩ705、サムネイルＵＲＩ706といった項目があり、ＩＤ701に対応して複数の情報が記憶される。
【００５２】
図４、図５、図６、図７におけるＩＤ401、ＩＤ501、ＩＤ601、ＩＤ701はともにＨＤＤ1504に記憶する映像コンテンツを一意に指定するＩＤ情報であり、本実施例において、ＩＤ401、ＩＤ501、ＩＤ601、ＩＤ701において同一ＩＤの場合同一の映像コンテンツを指し示すものである。
【００５３】
次に、本実施例のサムネイル画像提供システムの動作について、図３、図８〜図１３を用いて説明する。
【００５４】
本実施例のサムネイル画像提供システムは、コピー制御付映像コンテンツにおいて、そのコピー回数1回分をサムネイル生成用に特別な管理を行うことで、ホームネットワーク内の多くの映像受信装置にサムネイルの提供可能な映像送信装置を実現する。
【００５５】
例えば、地上デジタル放送の録画コンテンツは、ＡＲＩＢの規定により9回のコピーと1回のムーブ（いわゆるダビング10）を行うことができるが、本実施例の装置では、この9回のコピーのうち1回分を、サムネイル生成用に特別に管理することで、ホームネットワーク内の多くの受信側機器にサムネイルの提供が可能となる。
【００５６】
図１３にその様子を模式的に示した。図１３において、ＨＤＤ204中のオリジナルの映像コンテンツ300の9回のコピーの１回分であるサムネイル生成用のコピー301と、他の機器やメディアへの8回分のダビングコピー310とに分ける。そして、サムネイル生成用に特別に管理する映像コンテンツコピー301から複数のサムネイルを作成する。
【００５７】
ここで、図３を用いて、サムネイル生成用に特別に管理する映像コンテンツコピー301からサムネイルを複数作成する手順について述べる。同図は、本実施例におけるサムネイル生成手順の概要を示すものである。
【００５８】
まず、サムネイル生成用コピー301をＧＯＰ（Ｇｒｏｕｐ  ｏｆ  Ｐｉｃｔｕｒｅｓ）単位302に分割する。映像コンテンツであるサムネイル生成用コピー301の分割は同じシーンを複製するわけではないのでコピー制御の制限にあたらない。映像コンテンツの代表例である、ＭＰＥＧ（Ｍｏｖｉｎｇ  Ｐｉｃｔｕｒｅ  Ｅｘｐｅｒｔｓ  Ｇｒｏｕｐ）のような圧縮映像では、ＧＯＰの単位で映像の時間軸方向の圧縮が行われる。通常、ＧＯＰ単位302を構成する複数のフレームの先頭フレーム303はIフレームと呼ばれ、その後のフレームの時間軸方向の圧縮の基準となるフレームである。このIフレーム303は時間軸方向の圧縮を行わない為、Iフレームのみを切り出して画像化することが可能である。
【００５９】
なお、映像コンテンツ中から音量変化等なんらかのパラメータをもって代表シーンを自動選択し、その部分のＧＯＰからIフレームを切り出すことで、映像コンテンツを再生せずにサムネイルを作成する方法は、上述した特許文献１〜３をはじめ多くの方法が知られている。本実施例では、いかなる方法で代表シーンとなるＧＯＰを選択するかについては詳細を説明せず、いかなる方法を用いても良いものとする。例えば、映像の先頭から1分の部分のＧＯＰからサムネイルを作成する、というように決められた時間における部分のＧＯＰを使用しても良い。
【００６０】
本実施例において、代表シーンとするＧＯＰ単位302を決定したら、その全てのフレームを全てIフレームとなるように再圧縮（再エンコード）を行い、再エンコードフレーム群304を得る。このようにすることで、代表シーンとして選択したＧＯＰ302の全てのフレームをＩフレーム303としたフレーム群304である画像列を得、この画像列の各フレームをサムネイル画像305として利用可能となる。通常ＧＯＰは0.5秒程度（毎秒30フレームであれば15フレーム）の長さであることが多いが、この場合、再圧縮後の画像列304は、映像コンテンツ中の0.5秒分の時間だけを1/15分割した画像列となる。このようにすることで代表シーンとして選択したＧＯＰのほぼ同じ時間の複数の画像を、多くの機器にサムネイル画像305として提供可能となる。
【００６１】
なお、コピー制御付映像コンテンツにおいては、ＧＯＰ中の１フレームであってもコピー制御対象である点は変わらない。該コンテンツは既にオリジナルの映像コンテンツからコピーされたものであるので、それ以降のコピーは許されない。そのため、本実施例ではＧＯＰを再圧縮した後にとりだしたIフレーム1枚をサムネイル画像305として提供する際、ＤＴＣＰ−ＩＰムーブの手順で映像コンテンツの受信側機器へと送信する。受信側機器へと送信したフレーム群304中の１フレームはＤＴＣＰ−ＩＰの手順に従って映像送信装置101から完全に消去される。
【００６２】
本実施例の映像送信装置101においては、30フレーム／秒の映像コンテンツであれば、上述したＧＯＰの再圧縮を行うことで、１秒間あたり30枚のサムネイル画像305を取り出すことが可能となる。ＤＬＮＡガイドラインに従ったホームネットワークを介した映像コンテンツの共有は、ホームネットワーク内で行われる為、本実施例の方式で作成可能なサムネイル数が上述した数あれば、サムネイル枚数が不足する可能性は殆どない。
【００６３】
次に、本実施例のサムネイル画像提供システムの動作を、図８、図９のフローチャートを用いて説明する。図８はコンテンツリストへの情報追加を示すフローチャートである。
【００６４】
ステップ801は該映像コンテンツに新規ＩＤを設定する処理である。
ステップ802は映像送信装置101の設定に従ってサムネイル提供有無を決定し、図４のサムネイル提供情報テーブル400に追記する処理である。サムネイル提供の有無は、映像送信装置101の入力部209を介して利用者が適宜設定することもできる。
ステップ803は該映像のコピー制御種類およびコピー回数を、図５のコピー制御管理テーブル500に追記する処理である。
【００６５】
ステツプ804はサムネイル提供有かどうか調べる処理である。もしサムネイル提供有であれば、ステップ805へ進む。もしサムネイル提供有でなければ、ステップ809へ進む。
ステップ805はコピー制御管理テーブル500に記載のコピー回数を−１し、サムネイル生成用コピー301をＨＤＤ1504内に作成しＧＯＰごとに分割する処理である。
【００６６】
ステップ806は代表シーンを任意の手段で決定し、代表シーンのＧＯＰ302の全フレームをIフレームとなるように再圧縮、再エンコードする処理である。
【００６７】
ステップ807は代表シーンのＧＯＰ番号、ＧＯＰ内全Iフレーム数、ＧＯＰ内サムネイル提供済みIフレーム数（＝0）をサムネイル情報テーブル600に追記する処理である。
【００６８】
ステップ808はコンテンツリスト700にコンテンツ名、ジャンル、コピー制御、コンテンツＵＲＩ、サムネイルＵＲＩを追記する処理である。
【００６９】
ステップ809はサムネイル提供無しに対応し、コンテンツリスト700に該当するコンテンツ名、ジャンル、コピー制御、コンテンツＵＲＩを追記する処理である。
【００７０】
図９は本実施例のサムネイル画像提供システムにおける、サムネイル送付手順を示すフローチャートである。これは、映像送信装置がコンテンツリストを送付した映像受信装置102からの依頼に基づき、コンテンツリスト中のコンテンツのサムネイル画像を送付する手順を示すフローチャートである。
【００７１】
ステップ901は映像受信装置102からの接続により、ＤＴＣＰ−ＩＰムーブセッション確立（認証＋鍵交換（ＡＫＥ））する処理である。
【００７２】
ステップ902は映像受信装置からあるコンテンツのサムネイルＵＲＩへのサムネイル取得要求を映像送信装置が受信する処理である。
【００７３】
ステップ903はサムネイル情報テーブル600を元に該コンテンツのサムネイルを取得しＧＯＰ内サムネイル提供済みIフレーム数を＋１ する処理である。ここで、サムネイル情報600に記載の該ＩＤのコンテンツについて、ＧＯＰ内全Iフレーム数＝ＧＯＰ内サムネイル提供済みIフレーム数であった場合、例えば、図６のサムネイル情報テーブル600におけるＩＤ601が001である行のような場合、提供可能なサムネイル画像は零なので、図８における手順806、807によって新たな代表シーンを決定し、サムネイル情報テーブル600に追記してから、新たなサムネイル画像を取得する。
【００７４】
ステップ904は映像受信装置へ該サムネイル送信する処理である。
ステップ905は該サムネイルに対応するIフレームを完全削除する処理である。
【００７５】
ステップ906はＤＴＣＰ−ＩＰムーブのコミットメント実施する処理である。
ステップ907はＤＴＣＰ−ＩＰムーブセッション切断する処理である。
【００７６】
図１０は、本実施例のサムネイル画像提供システムにおいて、利用者1001による映像受信装置102への指示によって、映像送信装置101からコンテンツリスト、及び1画面表示分のサムネイル画像を取得する手順を示すシーケンス図である。
【００７７】
ステップ1002は利用者1001が、映像受信装置102に対して映像送信装置101の保持する映像コンテンツの一覧表示を要求する処理である。
【００７８】
ステップ1003は映像受信装置102が、当該要求に従い、映像送信装置101に対してコンテンツリスト取得要求を送信する処理である。
【００７９】
ステップ1004は映像送信装置101が映像受信装置102に対してコンテンツリスト700を送信する処理である。
【００８０】
ステップ1005は、1画面表示分のサムネイル取得処理全体を示す。
ステップ1006は第１のコンテンツのサムネイル取得を示す処理である。
ステップ1007は第２のコンテンツのサムネイル取得を示す処理である。
ステップ1008は第ｎのコンテンツのサムネイル取得を示す処理である。
【００８１】
ステップ1009は取得したコンテンツリストとサムネイルを元にコンテンツ一覧表示画面を描画する処理である。
【００８２】
図１１は映像受信装置102における、第ｎのコンテンツのサムネイル取得を示す図１０の処理1008の詳細手順を示す図である。
【００８３】
ステップ1101は認証および鍵交換のＤＴＣＰ−ＩＰムーブセッションを確立する処理である。
【００８４】
ステップ1102は映像受信装置102が映像送信装置101に該当するサムネイルの取得要求を送信する処理である。
【００８５】
ステップ1103は映像送信装置101が該コンテンツのサムネイル生成用コピー301からサムネイル画像305を取得する処理である。
【００８６】
ステップ1104は取得したサムネイル画像305を映像受信装置102へと送信する処理である。
【００８７】
ステップ1105は映像送信装置101が映像受信装置102へ送信したサムネイル画像305に対応するフレームをフレーム群304から完全削除する処理である。
【００８８】
ステップ1106は映像受信装置、映像送信装置間のＤＴＣＰ−ＩＰムーブのコミットメントを実施する処理である。
【００８９】
ステップ1107はＤＴＣＰ−ＩＰムーブのセッションを切断する処理である。
【００９０】
図１２は、本実施例のサムネイル画像提供システムにおける映像送信装置101における、コピー制御付コンテンツのサムネイル生成有無に関する設定画面1201を示す図である。この設定画面を用いて利用者が設定した情報を、図８に示したコンテンツリストへの情報追加処理フローチャートにおけるステップ802の処理において、サムネイル提供有無を決定する情報として利用する。
【００９１】
図７のコンテンツリスト700には複数のサムネイル画像を指定するようなサムネイルＵＲＩを指定することが可能である。例えば、ＤＶＤコンテンツにおけるチャプター一覧のように、映像コンテンツ内のシーン一覧として複数のサムネイルを提供することも可能である。
【００９２】
映像受信装置102にて、ある特定の映像コンテンツ、例えば、画面上でカーソルがあたっているコンテンツについては、映像コンテンツの再生の手順にしたがってＤＴＣＰ−ＩＰストリーミングを実施し、それをサムネイル表示領域に表示することで動画をサムネイル代わりに用いることが可能となる。
【００９３】
なお、録画機能付きテレビなどは、本実施例における映像受信装置、映像送信装置の双方の機能を有する場合がある。そのような場合、自機器内部に録画した映像コンテンツと、ホームネットワークを介して接続する他の機器が保持する映像コンテンツを区別せずに、コンテンツ一覧表示することも可能である。録画機能付きテレビなどは、録画した映像コンテンツについてシーン一覧を表示したり、カーソルのあたっているコンテンツについてのみ動画サムネイルを提供したりすることがあるが、上述のように、本実施例の方法を用いればホームネットワークを介して接続する機器が保持する映像コンテンツにおいても、シーン一覧や動画サムネイルを提供可能となり、利用者は自機器内の映像コンテンツと同様の使い勝手で他の機器が保持するコンテンツも扱うことが可能となる。
【００９４】
以上、ＧＯＰを再圧縮し全てのフレームをIフレームとする方法を説明したが、再圧縮時にフレームレートも変換することで、更に１つのＧＯＰから取得可能なサムネイル数を増加させることが可能となる。
【００９５】
本実施例においては、図３に示すように、サムネイル生成用コピー301は映像コンテンツの全体をＨＤＤ204内でコピーしたが、同様の管理を仮想的に行っても良い。すなわち、同一ＧＯＰを2度以上コピーしないことを条件に代表シーンのＧＯＰのみをＨＤＤ204内でコピー、再圧縮し、この代表シーンのＧＯＰのみを実在のファイルとして扱っても良い。
【００９６】
具体的には、ある映像コンテンツのサムネイル画像として、新たなＧＯＰを利用する際には、図６中のサムネイル情報テーブル600に、該コンテンツのＩＤに関して新たなＧＯＰ番号を追記する。この際に、ＧＯＰ番号に該当するＧＯＰのみをオリジナルの映像コンテンツからコピーし、当該ＧＯＰの全てのフレームのIフレームへの再エンコードを経て、再エンコードしたフレーム群各々をサムネイル画像として利用する。そして、サムネイル画像としてムーブしたIフレームは、上述した実施例の手順のとおりに削除する。
【００９７】
そして、新たなＧＯＰを利用する際に、図６のサムネイル情報テーブル600に既に記載されているＧＯＰ番号のＧＯＰを追記することを禁止し、当該一個のＧＯＰのみを実在のファイルとして扱うことで、サムネイル生成用コピー301の映像コンテンツ全体をＨＤＤ204にコピーせずとも、上述した本実施例の管理と同様の管理を仮想的に実現することができる。
【実施例２】
【００９８】
次に、第２の実施例として、上述した映像送信装置と映像受信装置の双方の機能を併せ持つ映像送受信装置の構成に関する実施例を説明する。
【００９９】
図１５は、図１に示す映像送信装置101と映像受信装置102の双方の機能を併せ持つ、本実施例の映像送受信装置1500のハードウェア構成の一例を示す図である。本実施例の映像送受信装置1500は、図１における映像送信装置101や映像受信装置102の代わりに用いる事ができる。例えば、録画機能付きデジタルテレビなどは放送を録画し、ＤＬＮＡを用いて他の端末へ映像コンテンツを送信する映像送信装置の機能とともにＤＬＮＡを用いて他の端末の映像コンテンツを受信する映像受信装置の機能を持つ場合がある。
【０１００】
同図において、符号1501はＥＰＲＯＭ、符号1502はＣＰＵ、符号1503はメインメモリ、符号1504はＨＤＤ（ハードディスクドライブ）、符号1505は認証・暗号処理部、符号1506はコンテンツ情報管理部、符号1507はネットワークＩ／Ｆ、符号1508は放送受信部、符号1509は入力部、符号1510は映像音声出力部、符号1511はサムネイル生成・管理部、符号1512はバス、符号1513は放送受信アンテナ、符号1514モニタ装置である。
【０１０１】
図１５より明らかな様、本実施例の映像送受信装置1500の内部構成は、図２に示した映像送信装置101と同じハードウェア構成を備えているので、ここでは内部のハードウェア構成の詳細説明は省略する。ただ、ＥＰＲＯＭ1501には映像送受信装置1500としてのブートプログラムが格納されており、また、ＨＤＤ1504には映像送受信装置1500として各種プログラムが記憶されている点が図２の映像送信装置101と異なっている点である。これらのブートプログラムと各種プログラムの内容については、図２及び図１４の説明と同様であるのでここでは説明を省略する。
【０１０２】
本実施例の映像送受信装置1500を用い、利用、或いは記憶する各種のプログラムを適宜選択することにより、映像送信装置と映像受信装置両方、あるいは片方の装置として機能する装置を提供できる。
【０１０３】
なお、本発明は上記した実施例に限定されるものではなく、様々な変形例が含まれる。例えば、上記した実施例は本発明を分かりやすく説明するために詳細に説明したのであり、必ずしも説明の全ての構成を備えるものに限定されものではない。また、各実施例の構成の一部について、他の構成の追加・削除・置換をすることが可能である。
【０１０４】
また、上記の各構成、機能、処理部、処理手段等は、それらの一部又は全部を、例えば集積回路で設計する等によりハードウェアで実現してもよいことは先に述べた通りである。また、上記の各構成、機能等は、それぞれの機能を実現するプログラムを実行することによりソフトウェアで実現する場合を例示して説明したが、各機能を実現するプログラム、テーブル、ファイル等の情報はメモリやＨＤＤのみならず、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体におくことができるし、必要に応じてネットワーク等を介してダウンロード、インストロールすることも可能である。
【符号の説明】
【０１０５】
101  映像送信装置
102  映像受信装置
103  ホームネットワーク
201、1401、1501  ＥＰＲＯＭ
202、1402、1502  ＣＰＵ
203、1403、1503  メインメモリ
204、1504  ＨＤＤ
205、1404、1505  認証・暗号処理部
206、1506  コンテンツ情報管理部
207、1405、1507  ネットワークＩ／Ｆ
208、1508  放送受信部
209、1406、1509  入力部
210、1407、1510  映像音声出力部
211、1511  サムネイル生成・管理部
212、1408、1512  バス
213、1513  アンテナ
214、1409、1514  モニタ装置
301  サムネイル生成用コピー
302  ＧＯＰ単位
303  Ｉフレーム
304  サムネイル画像群
401、501、601、701  ＩＤ
402  サムネイル提供有無
502  コピー制御種類
503  コピー回数
602  ＧＯＰ番号
603  ＧＯＰ内全Ｉフレーム数
604  ＧＯＰ内サムネイル提供済みＩフレーム数
702  コンテンツ名
703  ジャンル
704  コピー制御
705  コンテンツＵＲＩ
706  サムネイルＵＲＩ
1001  利用者
【図１】
2013021430.tif 000003
【図２】
2013021430.tif 000004
【図３】
2013021430.tif 000005
【図４】
2013021430.tif 000006
【図５】
2013021430.tif 000007
【図６】
2013021430.tif 000008
【図７】
2013021430.tif 000009
【図８】
2013021430.tif 000010
【図９】
2013021430.tif 000011
【図１０】
2013021430.tif 000012
【図１１】
2013021430.tif 000013
【図１２】
2013021430.tif 000014
【図１３】
2013021430.tif 000015
【図１４】
2013021430.tif 000016
【図１５】
2013021430.tif 000017